(57)【要約】  無線ＬＡＮで媒体接近における衝突を防止するための情報を無線ＬＡＮに属するノードに通知する方法及び装置に係り、これにより、無線ＬＡＮのアクセスポイントまたはＩＢＳＳの管理ステーションがＣＦ−Ｅｎｄフレームを受信すれば、受信されたＣＦ−ＥｎｄフレームのＢＳＳＩＤを自身のＢＳＳＩＤと比較し、比較結果にＢＳＳＩＤが一致すれば、受信されたＣＦ−Ｅｎｄフレームを再びブロードキャストすることで、同じＢＳＳに属するあらゆるステーションが媒体接近を制御する時間情報を同一に通知されて隠れノード問題を解決できる。
2009522910.tif 000002
【特許請求の範囲】
【請求項１】
無線ＬＡＮで通信するデバイスが制御フレームを伝達する方法において、
媒体接近を制御する時間情報及び受信アドレス情報が含まれた制御フレームを受信するステップと、
前記受信アドレス情報を確認するステップと、
確認結果に基づいて前記受信された制御フレームを選択的にブロードキャストするステップと、を含むことを特徴とする方法。
【請求項２】
前記制御フレームは、ＭＡＣヘッダのｄｕｒａｔｉｏｎフィールド値が０であることを特徴とする請求項１に記載の方法。
【請求項３】
前記制御フレームは、ＣＦ−Ｅｎｄフレームであることを特徴とする請求項２に記載の方法。
【請求項４】
前記ブロードキャストするステップは、
前記確認結果、前記ＣＦ−Ｅｎｄフレームに記録されたＢＳＳＩＤが、前記デバイスが属するＢＳＳのＢＳＳＩＤと一致する場合、前記ＣＦ−Ｅｎｄフレームをブロードキャストすることを特徴とする請求項３に記載の方法。
【請求項５】
前記ブロードキャストするステップは、
前記受信ステップで前記ＣＦ−Ｅｎｄフレームが受信された後、ＳＩＦＳが経過した時、前記受信されたＣＦ−Ｅｎｄフレームをブロードキャストすることを特徴とする請求項４に記載の方法。
【請求項６】
前記無線ＬＡＮは、Ｉｎｆｒａｓｔｒｕｃｔｕｒｅ  ＢＳＳであり、前記デバイスは、前記Ｉｎｆｒａｓｔｒｕｃｔｕｒｅ  ＢＳＳのアクセスポイントであることを特徴とする請求項１に記載の方法。
【請求項７】
前記無線ＬＡＮはＩＢＳＳであり、前記デバイスは、ビーコンフレームを伝送するＩＢＳＳ管理ステーションであることを特徴とする請求項１に記載の方法。
【請求項８】
請求項１に記載の方法をコンピュータで実行させるためのプログラムを記録したコンピュータで読み取り可能な記録媒体。
【請求項９】
請求項２に記載の方法をコンピュータで実行させるためのプログラムを記録したコンピュータで読み取り可能な記録媒体。
【請求項１０】
請求項３に記載の方法をコンピュータで実行させるためのプログラムを記録したコンピュータで読み取り可能な記録媒体。
【請求項１１】
請求項４に記載の方法をコンピュータで実行させるためのプログラムを記録したコンピュータで読み取り可能な記録媒体。
【請求項１２】
請求項５に記載の方法をコンピュータで実行させるためのプログラムを記録したコンピュータで読み取り可能な記録媒体。
【請求項１３】
請求項６に記載の方法をコンピュータで実行させるためのプログラムを記録したコンピュータで読み取り可能な記録媒体。
【請求項１４】
請求項７に記載の方法をコンピュータで実行させるためのプログラムを記録したコンピュータで読み取り可能な記録媒体。
【請求項１５】
無線ＬＡＮで受信された制御フレームを伝達する装置において、
媒体接近を制御する時間情報が含まれた制御フレームが受信されれば、前記制御フレームに含まれた受信アドレス情報を確認する受信アドレス情報確認部と、
前記確認結果に基づいて前記受信された制御フレームを選択的にブロードキャストする再伝送部と、を備えることを特徴とする装置。
【請求項１６】
前記制御フレームは、ＭＡＣヘッダのｄｕｒａｔｉｏｎフィールド値が０であることを特徴とする請求項１５に記載の装置。
【請求項１７】
前記制御フレームは、ＣＦ−Ｅｎｄフレームであることを特徴とする請求項１６に記載の装置。
【請求項１８】
前記再伝送部は、
前記確認結果、前記ＣＦ−Ｅｎｄフレームに記録された受信者アドレスがブロードキャストアドレスであり、そのＢＳＳＩＤが前記デバイスが属するＢＳＳのＢＳＳＩＤと一致する場合、前記ＣＦ−Ｅｎｄフレームをブロードキャストすることを特徴とする請求項１７に記載の装置。
【請求項１９】
前記再伝送部は、
前記ＣＦ−Ｅｎｄフレームが受信された後、ＳＩＦＳが経過した時、前記受信されたＣＦ−Ｅｎｄフレームをブロードキャストすることを特徴とする請求項１８に記載の装置。
【請求項２０】
請求項１５に記載の装置を備えたアクセスポイント。
【請求項２１】
請求項１５に記載の装置を備え、Ｉｎｄｅｐｅｎｄｅｎｔ  ＢＳＳでビーコンフレームを伝送するＩＢＳＳ管理ステーションである期間中にのみ前記装置を駆動する無線ＬＡＮステーション。
【発明の詳細な説明】
【技術分野】
【０００１】
本発明は無線ＬＡＮに係り、さらに詳細には、無線ＬＡＮで媒体接近における衝突を防止するための情報を無線ＬＡＮに属するノードに通知する方法に関する。
【背景技術】
【０００２】
無線ＬＡＮ（Ｗｉｒｅｌｅｓｓ  ＬＡＮ）環境では、ＣＳＭＡ／ＣＡ（Ｃａｒｒｉｅｒ  Ｓｅｎｓｉｎｇ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）方式のＭＡＣ（Ｍｅｄｉｕｍ  Ａｃｃｅｓｓ  Ｃｏｎｔｒｏｌ）を使用する。
【０００３】
ＣＳＭＡ／ＣＡ方式は、キャリアセンシングのために物理的キャリアセンシングと仮想キャリアセンシングとを同時に使用するが、物理的キャリアセンシングは、ＰＨＹで特定値以上の受信電力感知如何を把握して、ＭＡＣに媒体の＜Ｂｕｓｙ＞または＜Ｉｄｌｅ＞如何を知らせてキャリアをセンシングする技法であり、仮想キャリアセンシングは、受信されたＰＰＤＵ（ＰＨＹ  Ｐｒｏｔｏｃｏｌ  Ｄａｔａ  Ｕｎｉｔ）から正確にＭＰＤＵ（ＭＡＣ  Ｐｒｏｔｏｃｏｌ  Ｄａｔａ  Ｕｎｉｔ）を抽出できる場合、このＭＰＤＵのヘッダフィールドうち一つである＜Ｄｕｒａｔｉｏｎ／ＩＤ＞ｆｉｅｌｄを解釈して、媒体使用予定時間中に仮想で媒体が＜Ｂｕｓｙ＞であると見なす技法である。ステーションはこれら２種のキャリアセンシング技法を利用して媒体の＜Ｂｕｓｙ＞如何を把握し、＜Ｂｕｓｙ＞期間中には媒体にアクセスしない。
【０００４】
図１に示したように、一般的なＩＥＥＥ  ８０２．１１系列の無線ＬＡＮで伝送されるフレームのＭＡＣヘッダには、フレームが伝送された後、それに対する受信確認フレームであるＡＣＫフレームが受信されるまでの時間である＜ｄｕｒａｔｉｏｎ＞情報が含まれ、かかるフレームを受信したステーションは、ＭＡＣヘッダを解釈して＜ｄｕｒａｔｉｏｎ＞時間中には媒体接近を試みないようになって衝突が起きない。無線媒体の特性上、無線ＬＡＮ内のあらゆるステーションは自身に送られたフレームでなくても、物理的には電波到達範囲内で伝送されたあらゆるフレームを受信できるためである。
【０００５】
図１では、一つのＭＰＤＵ及びそれに対するＡＣＫフレームを受信するフレーム交換シーケンスを仮定したが、一つのＰＰＤＵに複数のＭＰＤＵを載せて伝送する場合もあり、図２Ａには、このような場合のフレーム交換を示した。図２Ａに示したように、送信ステーションと受信ステーションとは、ＲＴＳ（Ｒｅｑｕｅｓｔ  Ｔｏ  Ｓｅｎｄ）フレーム及びＣＴＳ（Ｃｌｅａｒ  Ｔｏ  Ｓｅｎｄ）フレームを交換して、他のステーションが所定期間中に媒体に接近できないようにするが、このように送信ステーションがＲＴＳ／ＣＴＳ交換シーケンスを通じて得た期間をＴｘＯＰ（Ｔｒａｎｓｍｉｓｓｉｏｎ  Ｏｐｐｏｒｔｕｎｉｔｙ）という。一方、媒体が使用可能になるまで残った時間を表す値をＮＡＶ（Ｎｅｔｗｏｒｋ  Ａｌｌｏｃａｔｉｏｎ  Ｖｅｃｔｏｒ）というが、送信ステーション及び受信ステーション以外のステーションは、ＲＴＳフレーム、ＣＴＳフレーム及びデータフレームの＜ｄｕｒａｔｉｏｎ＞フィールドを参照してＮＡＶタイマーを設定する。図２Ａに示したように、送信ステーションは複数のＭＰＤＵを一つのＰＰＤＵに載せて伝送しており、さらに、一回のＲＴＳ／ＣＴＳ交換シーケンスにより獲得したＴｘＯＰ内で複数のＰＰＤＵを伝送している。かかる場合、図１のような一般的な場合に比べて多量のデータが伝送され、これによりエラーが発生する場合、再伝送時間などがさらに長くかかるので、十分な長さのＮＡＶ（ｌｏｎｇ  ＮＡＶ）を設定する。このように長いＮＡＶを設定した場合、送信ステーションがこれ以上伝送するデータがなくても、他のステーションは残っているＴｘＯＰ中には媒体に接近しないので、チャンネルが無駄使いになる問題が発生しうるが、これを防止するために送信ステーションはＣＦ−Ｅｎｄフレームを伝送する。図２Ｂに、そのような場合を示したが、図２Ｂに示したように、ＴｘＯＰ期間がまだ残っていても、これ以上媒体を使用する必要がない場合、送信ステーションはＣＦ−Ｅｎｄフレームを伝送することによって残っているＴｘＯＰを返還し、ＣＦ−Ｅｎｄフレームを受信した他のステーションは、再び媒体使用のために競争する。
【０００６】
一方、図３Ａないし図３Ｃには、ＣＦ−Ｅｎｄフレームが媒体使用のための競争において、ステーション間の公平性を保証するための用途に使われる場合を図示した。
【０００７】
前述したように、仮想キャリアセンシングは、ＭＰＤＵ／ＰＳＤＵ（ＭＡＣ  Ｐｒｏｔｏｃｏｌ  Ｄａｔａ  Ｕｎｉｔ／ＰＨＹ  Ｓｅｒｖｉｃｅ  Ｄａｔａ  Ｕｎｉｔ）がエラーなしに正常に解釈されて初めて効果的なＣＳＭＡ／ＣＡ適用ができる。すなわち、ＭＡＣヘッダ値を正常に読み取って初めて仮想キャリアセンシングが可能になる。しかし、高速伝送データ率などを使用して伝送した時、チャンネル状態が不安でエラーが発生するか、または受信側ステーションで該当データ速度を処理できない場合には、受信されたＭＰＤＵ／ＰＳＤＵを解釈できないので、仮想キャリアセンシングが不可能でＣＳＭＡ／ＣＡ方式が非効率的に動作し、したがって、ＩＥＥＥ  ８０２．１１ａ／ｂ／ｇ規格を遵守するレガシーステーションと、レガシーステーションより伝送能力が向上したステーションであるＨＴ（Ｈｉｇｈ  Ｔｈｒｏｕｇｈｐｕｔ）ステーションとが共存する無線ＬＡＮからＨＴフォーマットのフレームが伝送されれば、これを受信したレガシーステーションはＨＴフォーマットのフレームを解釈できないので、ＣＳＭＡ／ＣＡメカニズムが正確に動作できなくなる。参考までに、ＨＴステーションは、ＩＥＥＥ  ８０２．１１ａ／ｂ／ｇ規格によるステーションより向上したデータ伝送能力を持つ端末であり、ＭＩＭＯ（Ｍｕｌｔｉ  Ｉｎｐｕｔ  Ｍｕｌｔｉ  Ｏｕｔｐｕｔ）ステーションなどがこれに該当する。
【０００８】
現在標準化が進行中の８０２．１１ｎでは、かかる問題を解決するために、図３Ａに示したように、無線ＬＡＮにＨＴステーションとレガシーステーションとが共存する場合、レガシーステーションが理解できるようにＨＴフォーマットフレームの物理階層（ＰＨＹ）ヘッダをレガシーフォーマット（Ｌ−Ｐｒｅａｍｂｌｅ、Ｌ−ＳＩＧ）として使用し、レガシーステーションがＬ−ＳＩＧフィールド以後からＡＣＫフレームを受信完了するまでの時間を、ＰＨＹヘッダに含まれたＲＡＴＥフィールド及びＬＥＮＧＴＨフィールドを分析して分かるようにＲＡＴＥフィールド値とＬＥＮＧＴＨフィールド値とを設定する方法が提案された。以下では、このように設定されたＲＡＴＥフィールド値とＬＥＮＧＴＨフィールド値とにより特定される時間区間をＥＰＰ（Ｅｘｔｅｎｄｅｄ  Ｐｈｙ  Ｐｒｏｔｅｃｔｉｏｎ）と称する。
【０００９】
一方、ＥＰＰを使用する場合、媒体使用に対する衝突を防止することはできるが、媒体使用権限を得るための競争においてステーション間の不公平が発生する。
【００１０】
図３Ｂにかかる問題が発生する場合を図示したが、図３Ｂに示したように、レガシーステーションはＰＨＹヘッダを解釈できるとしても、その以後、すなわち、ＨＴフォーマットに該当する部分は解釈できないためにエラーが発生し、ＰＨＹ（Ｂａｓｅｂａｎｄ）レイヤーはＭＡＣレイヤーにエラーが発生したことを知らせる。エラーが発生したことを知らせる時点はＥＰＰが終わる時点であるが、この時からレガシーステーションは、ＨＴステーションよりさらに長時間を待った後で媒体使用のための競争に参与する。レガシーステーションがＨＴフォーマットのフレームを解釈できなくてエラーが発生した場合、レガシーステーションは、ＨＴステーションとは異なって、ＤＩＦＳ（ＤＣＦ  ＩｎｔｅｒＦｒａｍｅ  Ｓｐａｃｅ、ＩＥＥＥ  ８０２．１１ａの場合に３４ｕｓ）ではないＥＩＦＳ（Ｅｘｔｅｎｄｅｄ  ＩｎｔｅｒＦｒａｍｅ  Ｓｐａｃｅ、ＩＥＥＥ  ８０２．１１ａの場合に９４ｕｓ）の時間ほど休んでｂａｃｋｏｆｆを始めるためである。
【００１１】
図３Ｃには、かかる不公平な問題を解決するために、ＣＦ−Ｅｎｄフレームを使用する場合を示した。すなわち、送信ステーションは、ＨＴフォーマットのデータフレームに対するＡＣＫフレームを受信した後、ＳＩＦＳ（Ｓｈｏｒｔ  Ｉｎｔｅｒｆｒａｍｅ  Ｓｐａｃｅ）が経過すれば、ＣＦ−Ｅｎｄフレームをブロードキャストする。ＣＦ−Ｅｎｄフレームは媒体が使用できることを表すので、これを受信したＨＴステーションはもとよりレガシーステーションも、ＥＩＦＳを待たずに直ちに媒体使用のための競争に参与するのである。
【００１２】
このように、無線ＬＡＮでＣＦ−Ｅｎｄフレームを使用すれば正確なＣＳＭＡ／ＣＡが可能になり、ステーション間の公平性も保証できるようになる。しかし、このようなＣＦ−Ｅｎｄフレームが無線ＬＡＮに属するあらゆるステーションに伝送されなければ、このような効果を得られなくなるが、無線ＬＡＮ環境では図４に示したような隠れノード問題が発生しうる。図４では、Ａステーションがフレームをブロードキャストした場合を仮定し、ステーションの電波到達範囲は点線で表示した。図４に示したように、無線媒体の特性上、Ａステーションが伝送したフレームをＣステーションは認識できるが、Ｂステーションは認識できない場合が発生しうるが、このような場合、フレームを認識できないＢステーションがキャリアセンシングを通じて媒体が使用可能な状態であると認識してフレーム伝送を試みれば、媒体使用に関する衝突が発生するという問題が生じる。
【発明の開示】
【発明が解決しようとする課題】
【００１３】
本発明は、無線ＬＡＮのあらゆるステーションが媒体接近に関する情報を記録した制御フレームを受信可能にする装置及び方法を提供するところにその目的がある。
【課題を解決するための手段】
【００１４】
このような目的を達成するための本発明は、無線ＬＡＮで通信するデバイスが制御フレームを伝達する方法において、媒体接近を制御する時間情報及び受信アドレス情報が含まれた制御フレームを受信するステップと、前記受信アドレス情報を確認するステップと、確認結果に基づいて前記受信された制御フレームを選択的にブロードキャストするステップと、を含むことを特徴とする。
【００１５】
このとき、前記制御フレームは、ＣＦ−Ｅｎｄフレームであり、前記ブロードキャストするステップは、前記確認結果、前記ＣＦ−Ｅｎｄフレームに記録されたＢＳＳＩＤが、前記デバイスが属するＢＳＳ（Ｂａｓｉｃ  Ｓｅｒｖｉｃｅ  Ｓｅｔ）のＢＳＳＩＤと一致する場合、前記ＣＦ−Ｅｎｄフレームをブロードキャストすることが望ましい。
【００１６】
また、前記ブロードキャストするステップは、前記受信ステップで前記ＣＦ−Ｅｎｄフレームが受信された後、ＳＩＦＳが経過した時、前記受信されたＣＦ−Ｅｎｄフレームをブロードキャストすることが望ましい。
【００１７】
前記無線ＬＡＮがＩｎｆｒａｓｔｒｕｃｔｕｒｅ  ＢＳＳである場合、前記デバイスは、前記Ｉｎｆｒａｓｔｒｕｃｔｕｒｅ  ＢＳＳのアクセスポイントであり、前記無線ＬＡＮがＩＢＳＳ（Ｉｎｄｅｐｅｎｄｅｎｔ  ＢＳＳ）である場合、前記デバイスは、ビーコンフレームを伝送するＩＢＳＳ管理ステーションであることが望ましい。
【００１８】
また、本発明は、前記制御フレーム伝達方法をコンピュータで実行させるためのプログラムを記録したコンピュータで読み取り可能な記録媒体を提供する。
【００１９】
また、本発明は、無線ＬＡＮで受信された制御フレームを伝達する装置において、媒体接近を制御する時間情報が含まれた制御フレームが受信されれば、前記制御フレームに含まれた受信アドレス情報を確認する受信アドレス情報確認部と、前記確認結果に基づいて前記受信された制御フレームを選択的にブロードキャストする再伝送部と、を備えることを特徴とする。
【００２０】
また、本発明は、前記制御フレーム伝達装置を備えたアクセスポイントを提供する。
また、本発明は、前記制御フレーム伝達装置を備え、Ｉｎｄｅｐｅｎｄｅｎｔ  ＢＳＳでビーコンフレームを伝送するＩＢＳＳ管理ステーションである期間中にのみ前記装置を駆動する無線ＬＡＮステーションを提供する。
【発明の効果】
【００２１】
本発明によれば、同じＢＳＳに属するあらゆるステーションが媒体の接近を制御する時間情報を同一に通知されて隠れノード問題を解決でき、窮極的には、無線ＬＡＮでの正確なＣＳＭＡ／ＣＡメカニズムを具現し、ステーション間の媒体使用のための工程一競争を保証できる。
【発明を実施するための最良の形態】
【００２２】
以下、添付した図面を参照して本発明の望ましい実施形態を詳細に説明する。
【００２３】
図５は、本発明の一実施形態によって隠れノード問題を解決する原理を説明するための概念図である。図５に示したように、ＣステーションはＡステーションが伝送したＣＦ−Ｅｎｄフレームを受信できるが、ＢステーションはＡステーションの電波到達範囲外に位置するので、Ａステーションが伝送したＣＦ−Ｅｎｄフレームを受信できず、結局Ｃステーションと同一にＮＡＶをリセットできない。本発明の一実施形態によれば、このような場合、Ａステーション及びＢステーションとも通信できる距離にあるＣステーションが、Ａステーションから受信したＣＦ−ＥｎｄフレームをＢステーションに伝達することによって隠れノード問題を解決する。かかるフレームの伝達は、ｉｎｆｒａｓｔｒｕｃｔｕｒｅ  ｂａｓｉｃ  ｓｅｒｖｉｃｅｓｅｔ（ＢＳＳ）ではアクセスポイントが、ｉｎｄｅｐｅｎｄｅｎｔ  ｂａｓｉｃｓｅｒｖｉｃｅ  ｓｅｔ（ＩＢＳＳ）では最近にビーコンフレームを伝送したステーションであるＩＢＳＳ管理ステーションが行うことが望ましい。
【００２４】
本実施形態では、送信ステーションがＴｘＯＰを返還するために使用する制御フレームをＣＦ−Ｅｎｄと仮定して説明したが、必ずしもこれに限定されるものではなく、ＭＡＣヘッダの＜ｄｕｒａｔｉｏｎ＞フィールド値が０であるフレームであって、ステーションのＮＡＶをリセットする機能を持つフレームならば、他の種類の制御フレームも使われうる。以下でも同一である。
【００２５】
図６は、本発明によって隠れノードにＣＦ−Ｅｎｄフレームを伝達する方法を説明するための図面である。
【００２６】
図６に示したように、Ｂステーションが、Ａステーションが伝送したＣＦ−Ｅｎｄフレームを受信できない隠れノードである場合、Ｃステーションは、Ａステーションが伝送したＣＦ−ＥｎｄフレームをＢステーションに伝達する。すなわち、ＡステーションがブロードキャストしたＣＦ−Ｅｎｄフレームは、Ｃステーションにより再びブロードキャストされ、Ｂステーションは、ＣステーションがブロードキャストしたＣＦ−Ｅｎｄフレームを受信するのである。この時、Ｂステーションは、Ａステーションが伝送したＣＦ−Ｅｎｄフレームを受信した後、ＳＩＦＳが経過した時に受信されたＣＦ−Ｅｎｄフレームを再びブロードキャストすることが望ましい。
【００２７】
それより長時間が経過すれば、ＣＦ−Ｅｎｄフレームを受信した他のステーションが媒体を使用可能なものと判断してフレーム伝送を試みることができる。
【００２８】
Ｃステーションは、受信されたあらゆるＣＦ−Ｅｎｄフレームを再伝送してはならない。ステーションの媒体接近制御（ＭＡＣ）は一つのＢＳＳで使われる媒体を基準とするので、もし、Ｃステーションが相異なる二つ以上のＢＳＳから伝送されたフレームを受信できる位置にある場合、ステーションの媒体接近の制御にエラーが生じうるためである。
【００２９】
したがって、ＣステーションはＣＦ−Ｅｎｄフレームを受信すれば、アドレスフィールドを参照してそのＣＦ−ＥｎｄフレームのＢＳＳＩＤを自身の属するＢＳＳのＢＳＳＩＤと比較した後、両者が一致する場合にのみ再伝送し、ＢＳＳＩＤが一致しない場合には廃棄（ｄｒｏｐ）する。このようなＣＦ−Ｅｎｄフレームの構造図を図７に示した。
【００３０】
図８は、本発明の一実施形態によって隠れノードにＣＦ−Ｅｎｄフレームを伝達する過程を示すフローチャートである。
【００３１】
アクセスポイントまたはＩＢＳＳ管理ステーションはＣＦ−Ｅｎｄフレームを受信すれば（７１０）、受信されたＣＦ−Ｅｎｄフレームのアドレスフィールドに記録されたＢＳＳＩＤを自身の属するＢＳＳのＢＳＳＩＤと比較するが（７２０）、もし、ＣＦ−Ｅｎｄフレームのアドレスフィールドに記録されたＢＳＳＩＤが自身の属するＢＳＳのＢＳＳＩＤと一致すれば、受信されたＣＦ−Ｅｎｄフレームを再びブロードキャストして自身の属するＢＳＳの隠れノードに伝達し（７４０）、一致しなければ廃棄する（７３０）。
【００３２】
図９は、本発明の一実施形態によって隠れノードにＣＦ−Ｅｎｄフレームを伝達する装置８００の構造図である。
【００３３】
図９に示したように、本発明の一実施形態によってＣＦ−Ｅｎｄフレームを隠れノードに伝達する装置８００は、受信アドレス情報確認部８１０及び再伝送部８２０を備え、本実施形態では、かかる装置８００がアクセスポイント８７０に備えられていると仮定したが、ビーコンフレームを伝送するＩＢＳＳ管理ステーションに備えられてもよいということは前述した通りである。
【００３４】
受信情報確認部８００は、ステーション１  ８５０が伝送したＣＦ−Ｅｎｄフレームを受信すれば、受信されたＣＦ−Ｅｎｄフレームのアドレスフィールドに記録されたＢＳＳＩＤをアクセスポイント８７０が管理するＢＳＳのＢＳＳＩＤと比較して、不一致ならば、ＣＦ−Ｅｎｄフレームを廃棄する。
【００３５】
受信されたＣＦ−Ｅｎｄフレームのアドレスフィールドに記録されたＢＳＳＩＤがアクセスポイント８７０が管理するＢＳＳのＢＳＳＩＤと一致する場合、再伝送部８２０は、受信されたＣＦ−Ｅｎｄフレームをブロードキャストして隠れノードのステーション２  ８６０に伝達する。
【００３６】
一方、前述した本発明の実施形態はコンピュータで実行できるプログラムで作成可能であり、コンピュータで読み取り可能な記録媒体を利用して、前記プログラムを動作させる汎用ディジタルコンピューターで具現できる。
【００３７】
前記コンピュータで読み取り可能な記録媒体は、マグネチック記録媒体（例えば、ＲＯＭ、フロッピー（登録商標）ディスク、ハードディスクなど）、光学的判読媒体（例えば、ＣＤ−ＲＯＭ、ＤＶＤなど）及びキャリアウェーブ（例えば、インターネットを通じる伝送）のような記録媒体を含む。
【００３８】
これまで本発明についてその望ましい実施形態を中心に説明した。当業者ならば本発明が本発明の本質的な特性から逸脱しない範囲で変形された形態で具現できるということを理解できるであろう。したがって、開示された実施形態は限定的な観点ではなく説明的な観点で考慮されねばならない。本発明の範囲は、前述した説明ではなく特許請求の範囲に現れており、それと同等な範囲内にあるあらゆる差異点は本発明に含まれていると解釈されねばならない。
【図面の簡単な説明】
【００３９】
【図１】無線ＬＡＮでのＣＳＭＡ／ＣＡメカニズムを説明するための図である。
【図２Ａ】ＣＦ−Ｅｎｄフレームの用途を説明するための図である。
【図２Ｂ】ＣＦ−Ｅｎｄフレームの用途を説明するための図である。
【図３Ａ】ＣＦ−Ｅｎｄフレームの他の用途を説明するための図である。
【図３Ｂ】ＣＦ−Ｅｎｄフレームの他の用途を説明するための図である。
【図３Ｃ】ＣＦ−Ｅｎｄフレームの他の用途を説明するための図である。
【図４】隠れノード問題を説明するための図である。
【図５】本発明の一実施形態によって隠れノード問題を解決する原理を説明するための概念図である。
【図６】本発明の一実施形態によって隠れノードにＣＦ−Ｅｎｄフレームを伝達する方法を説明するための図である。
【図７】ＣＦ−Ｅｎｄフレームの構造図である。
【図８】本発明の一実施形態によって隠れノードにＣＦ−Ｅｎｄフレームを伝達する過程を示すフローチャートである。
【図９】本発明の一実施形態によって隠れノードにＣＦ−Ｅｎｄフレームを伝達する装置の構造図である。
【図１】
2009522910.tif 000003
【図２Ａ】
2009522910.tif 000004
【図２Ｂ】
2009522910.tif 000005
【図３Ａ】
2009522910.tif 000006
【図３Ｂ】
2009522910.tif 000007
【図３Ｃ】
2009522910.tif 000008
【図４】
2009522910.tif 000009
【図５】
2009522910.tif 000010
【図６】
2009522910.tif 000011
【図７】
2009522910.tif 000012
【図８】
2009522910.tif 000013
【図９】
2009522910.tif 000014
【国際調査報告】
2009522910.tif 000015
2009522910.tif 000016